(57)【要約】      （修正有）【課題】体積を効果的に縮小でき、外界からの電磁波干渉を防止可能で、ノート型コンピューターと接続して情報インターフェース高速安定伝送を実現できる電子カードを提供する。【解決手段】電子カードは、回路板２、該回路板２の相対する両端に接続する少なくとも第一コネクター３と第二コネクター４、回路板２の上下をそれぞれ覆い相互に嵌合する第一遮蔽体５と第二遮蔽体６、本体７０及び該本体７０両端に設置する係合接続アーム７１を備えるカバー体７を備え、第一コネクター３上には組立てアーム３０を設置し、第二コネクター４は絶縁ハウジング４０、及び該絶縁ハウジング４０上に設置する複数の端子４１を備え、本体７０は第一、第二遮蔽体５、６の第二コネクター４に位置する一端を覆い、第二コネクター４に対応して挿入孔７２を備え、上記構造による組合せにより、電子カードの体積を効果的に縮小でき、しかも電子カードは外界のノイズ干渉を防止可能な遮蔽効果を備える。【選択図】図１
0003163143.tif 000002
【実用新案登録請求の範囲】
【請求項１】
ノート型コンピューターと接続し、情報インターフェース高速伝送に用いる電子カードで、
前記電子カードは、回路板、少なくとも第一コネクターと第二コネクター、第一遮蔽体と第二遮蔽体、カバー体を備え、
前記第一コネクターと前記第二コネクターは、前記回路板の相対する両端にそれぞれ接続し、前記第一コネクター上には、組立てアームを設置し、前記第二コネクターは、絶縁ハウジング、及び前記絶縁ハウジング上に設置する複数の端子を備え、
前記第一遮蔽体と前記第二遮蔽体は、前記回路板の上下をそれぞれ覆い、相互に嵌合し、前記カバー体は、本体、及び前記本体両端に設置する係合接続アームを備え、前記本体は、前記第一、第二遮蔽体の前記第二コネクターに位置する一端を覆い、前記第二コネクターに対応して挿入孔を備え、前記係合接続アームは、前記第一、第二遮蔽体の一端に嵌合して結合し、前記第一コネクターの組立てアームは、前記第一、第二遮蔽体の反対端に嵌合して結合し、
上記した構造による組合せにより、電子カードの体積を効果的に縮小でき、しかも電子カードは外界のノイズ干渉を防止可能な遮蔽効果を備えることを特徴とする電子カード。
【請求項２】
前記組立てアームは、絶縁プラスチック材質で、金属材質である前記カバー体と一体に設置される(Insert Molding)ことを特徴とする請求項１に記載の電子カード。
【請求項３】
前記第二コネクターの絶縁ハウジングの相対する両側には、定位脚を設置し、
前記定位脚は、前記回路板上に組立てることができ、これにより前記第二コネクターは、平準を保持することができ、こうして溶接時に、偏りの現象は発生しないことを特徴とする請求項１に記載の電子カード。
【請求項４】
前記挿入孔が位置する本体上には、内向きに陥没する凸粒を設置し、これにより前記第二コネクターに接続するケーブル上のコネクターを効果的に挟持可能であることを特徴とする請求項１に記載の電子カード。
【請求項５】
前記第一、第二遮蔽体が相互に嵌合すると、前記第一、第二遮蔽体の側辺により、上下にスタックするカバー式嵌合結合を形成することを特徴とする請求項１に記載の電子カード。
【請求項６】
前記第二コネクター傍にはさらに、第三コネクターを設置することができ、
前記金属カバー体は、前記第三コネクターに対応して対応接続孔を設置することを特徴とする請求項１に記載の電子カード。
【請求項７】
前記第二コネクターの端子は、高周波伝送に用いるUSB3.0(Universal Serial Bus 3.0)を採用することを特徴とする請求項１に記載の電子カード。
【考案の詳細な説明】
【技術分野】
【０００１】
本考案は電子カードに関し、特にノート型コンピューターと接続し、情報インターフェース高速伝送に用いる電子カードに関する。
【背景技術】
【０００２】
図９に示すように、従来のノート型コンピューターに接続し、情報インターフェース伝送に用いる電子カードにおいて、電子カード９の構造は、回路板９０、第一コネクター９１、第二コネクター９２、第三コネクター９３、第一遮蔽体９４、第二遮蔽体９５、上蓋体９６、下蓋体９７を備える。
第一コネクター９１、及び第二、第三コネクター９２、９３は、回路板９０の両端にそれぞれ組立てる。
第一コネクター９１は、ノート型コンピューターに接続し、第二、第三コネクター９２、９３は、外付けのケーブルに接続する。
第一遮蔽体９４、第二遮蔽体９５は、回路板９０の両側をそれぞれ覆い、これにより外界電磁波の干渉を防止する機能を備える。
上、下蓋体９６、９７は、第二、第三コネクター９２、９３上を蓋する。
【０００３】
従来の電子カード９は、第二コネクター９２が高周波伝送に用いるUSB3.0(Universal Serial Bus 3.0)であるため、マルチメディアAV情報を高速で伝送することができる。
しかし、第二コネクター９２の構造の制限を受け、設計上、必ず上、下蓋体９６、９７により覆って保護しなければならない。
そのため、全体の体積と高さを効果的に縮減することができず、薄くてコンパクトが求められる現在の設計トレンドに合わせることができない。
さらに、第二コネクター９２は、高周波伝送に用いるため、それ自身の構造に、外界のノイズ干渉を防ぐことができる遮蔽設計を設置する必要がある。
しかし、外層を覆う上、下蓋体９６、９７は、絶縁プラスチック材質であるため、対応させて接続する際には、外界のノイズの干渉を受け易く、電気信号の安定的な伝送に悪影響を及ぼす。
本考案は、従来の電子カードの上記した欠点に鑑みてなされたものである。
【考案の概要】
【考案が解決しようとする課題】
【０００４】
本考案が解決しようとする第一の課題は、体積を効果的に縮小でき、しかも外界からの電磁波干渉を防止可能な最適機能を備え、ノート型コンピューターと接続して、情報インターフェース高速安定伝送を提供することができる電子カードを提供することである。
【０００５】
本考案が解決しようとする第二の課題は、電子カードの回路板と外付けのケーブルとを接続する第二コネクターは、平準度を保持した設計で、溶接の執行に有利であるため、溶接の堅固性と電気信号伝送の安定性を確保することができる電子カードを提供することである。
【課題を解決するための手段】
【０００６】
上記課題を解決するため、本考案は下記の電子カードを提供する。
電子カードは、回路板、少なくとも第一コネクターと第二コネクター、第一遮蔽体と第二遮蔽体、カバー体を備え、
該第一コネクターと該第二コネクターは、該回路板の相対する両端にそれぞれ接続し、該第一コネクター上には、組立てアームを設置し、
該第二コネクターは、絶縁ハウジング、及び該絶縁ハウジング上に設置する複数の端子を備え、
該第一遮蔽体と該第二遮蔽体は、該回路板の上下をそれぞれ覆い、相互に嵌合し、
該カバー体は、本体、及び該本体両端に設置する係合接続アームを備え、
該本体は、該第一、第二遮蔽体の該第二コネクターに位置する一端を覆い、該第二コネクターに対応して挿入孔を備え、
該係合接続アームは、該第一、第二遮蔽体の一端に嵌合して結合し、該第一コネクターの組立てアームは、該第一、第二遮蔽体の反対端に嵌合して結合し、
上記した構造による組合せにより、電子カードの体積を効果的に縮小でき、しかも電子カードは外界のノイズ干渉を防止可能な遮蔽効果を備え、
該第二コネクターの絶縁ハウジングの相対する両側には、定位脚を設置し、
該定位脚は、該回路板上に組立てることができ、これにより該第二コネクターは、平準を保持することができ、こうして溶接時に、偏りの現象は発生しない。
【考案の効果】
【０００７】
本考案の電子カードは、体積を効果的に縮小でき、しかも外界からの電磁波干渉を防止可能な最適機能を備え、ノート型コンピューターと接続して、情報インターフェース高速安定伝送を提供することができ、また電子カードの回路板と外付けのケーブルとを接続する第二コネクターは、平準度を保持した設計で、溶接の執行に有利であるため、溶接の堅固性と電気信号伝送の安定性を確保することができる。
【図面の簡単な説明】
【０００８】
【図１】本考案電子カードの立体分解図である。
【図２】図１の立体組合せ図である。
【図３】図２の平面図である。
【図４】図３の４−４における断面図である。
【図５】図３の５−５における断面図である。
【図６】図３の６−６における断面図である。
【図７】本考案回路板の平面図である。
【図８】図７の８−８における断面図である。
【図９】従来の電子カードの立体分解図である。
【考案を実施するための形態】
【０００９】
以下に図面を参照しながら本考案を実施するための最良の形態について詳細に説明する。
【００１０】
図１〜６に示すように、本考案電子カードは、回路板２、第一コネクター３、第二コネクター４、第一遮蔽体５、第二遮蔽体６、カバー体７を備える。
【００１１】
第一コネクター３は、回路板２の一端に接続し、その上には、組立てアーム３０を設置し、第一、第二遮蔽体５、６の嵌合に用いる。
第二コネクター４は、絶縁ハウジング４０、及び絶縁ハウジング４０上に設置する複数の端子４１を備える。
端子４１は、高周波伝送に用いるUSB3.0(Universal Serial Bus 3.0)で、第一コネクター３に相対する回路板２の反対端に設置する。
第一遮蔽体５と第二遮蔽体６は、回路板２の上下をそれぞれ覆い、相互に嵌合し、第一、第二遮蔽体５、６の側辺により、上下にスタックするカバー式嵌合結合を形成する(図５参照)。
【００１２】
カバー体７は、本体７０、及びその両端に設置する係合接続アーム７１を備える。
本体７０は、金属材質で、係合接続アーム７１は、絶縁プラスチック材質で、両者は一体に設置される(Insert Molding)。
本体７０は、第一、第二遮蔽体５、６の第二コネクター４に位置する一端を覆い、第二コネクター４に対応して挿入孔７２を備える。
係合接続アーム７１は、第一、第二遮蔽体５、６の第二コネクター４に位置する一端に嵌合して結合する。
第一コネクター３上の組立てアーム３０は、第一、第二遮蔽体５、６の反対端に嵌合して結合する。
本体７０上には、内向きに陥没する凸粒７３を設置し、第二コネクター４に接続するケーブル上のコネクターを、効果的に挟持することができる。
【００１３】
図７、８に示すように、本考案第二コネクター４上には、定位脚を設置する。
定位脚は、回路板２上に組立てることができ、これにより第二コネクター４は、平準を保持することができる。
こうして、第二コネクター４を回路板２に溶接する時、偏りの現象は発生せず、溶接の執行に有利であり、溶接の堅固性と電気信号伝送の安定性を確保することができる。
本考案の第二コネクター４傍にはさらに、第三コネクター(図示なし)を設置することができる。
金属カバー体７は、第三コネクターに対応して対応接続孔(図示なし)を設置し、これにより拡充インターフェースをすることができる。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案の要件である新規性を備え、従来の同類製品に比べ十分な進歩を有し、実用性が高く、社会のニーズに合致しており、産業上の利用価値は非常に大きい。
【符号の説明】
【００１６】
１  電子カード
２  回路板
３  第一コネクター
３０  組立てアーム
４  第二コネクター
４０  絶縁ハウジング
４１  複数の端子
５  第一遮蔽体
６  第二遮蔽体
７  カバー体
７０  本体
７１  係合接続アーム
７２  挿入孔
７３  凸粒
【図１】
0003163143.tif 000003
【図２】
0003163143.tif 000004
【図３】
0003163143.tif 000005
【図４】
0003163143.tif 000006
【図５】
0003163143.tif 000007
【図６】
0003163143.tif 000008
【図７】
0003163143.tif 000009
【図８】
0003163143.tif 000010
【図９】
0003163143.tif 000011